(57)【要約】【目的】本発明は弛緩防止効果があるスリット付きのセルフロックボルトを製造が容易で安価に製造できるセルフロックボルト製造用転造ダイスと、スリット部を１山にすることにより螺合が容易で十分な弛緩防止効果があるセルフロックボルト１０とセルフロックボルト製造用転造ダイスを得ることにある。【構成】転造加工法によって、ボルトのねじ部を加工することができる一対の転造用ダイスにおいて、一方をセルフロックボルトねじ山を形成する並目の転造ダイス１とし、もう一方がスリット部を形成する転造ダイスとするセルフロックボルト製造用転造ダイス２とし、１回の転造作業で、製造が容易で安価に製造することができるとともに、セルフロックボルトねじ山が十分な弛緩防止効果が得られるセルフロックボルト製造用転造ダイスと、スリット形成部が１山になるようにすることにより、螺合を容易にしなおかつスリット部の深さを変えることによりスプリングバック効果を増大させて十分な強度と弛緩防止効果が得られるセルフロックボルト製造用転造ダイスおよびセルフロックボルトを構成している。【選択図】　図１
2004090085.tif 000002
【特許請求の範囲】
【請求項１】
転造加工法によって、ボルトのねじ部を加工することができる一対の転造用ダイスにおいて、一方をセルフロックボルトねじ山を形成する並目の転造ダイス１とし、もう一方がスリット部を形成するセルフロックボルトねじ山の２分の１のピッチの転造ダイス２とするセルフロックボルト製造用転造ダイス。
【請求項２】
転造加工法によって、ボルトのねじ部を加工することができる一対の転造用ダイスにおいて、一方をセルフロックボルトねじ山および通常並目ねじ山を形成する為の並目の転造ダイス５とし、もう一方がセルフロックボルトの１山のねじ山頂部に弛緩防止効果のあるスリット部を形成するために、セルフロックボルトねじ山の２分の１のピッチで１山だけの転造ダイス６とするセルフロックボルト製造用転造ダイス。
【請求項３】
転造加工法によって、ボルトのねじ部を加工することができる一対の転造用ダイスにおいて、一方をセルフロックボルトねじ山および通常並目ねじ山を形成するための並目の転造ダイス８とし、もう一方がセルフロックボルトの１山のねじ山頂部に弛緩防止効果のあるスリット部を形成しセルフロックボルトねじ山、残りを通常並目ねじ山を形成する転造ダイス９とするセルフロックボルト製造用転造ダイス。
【請求項４】
ボルト本体と、１山が弛緩防止効果が得られるスリットを持つセルフロックボルトねじ山で、残りの山が通常並目ねじ山とからなることを特徴とするセルフロックボルト１０。
【発明の詳細な説明】
【０００１】
【産業上の利用分野】
本発明は弛緩防止効果が得られるスリットが形成されたセルフロックボルトを製造する場合に使用するセルフロックボルト製造用転造ダイスおよびセルフロックボルトに関する。
【０００２】
【従来の技術】
セルフロックボルトを製造するための方法として、ねじ山にスリットを切削によって入れる切削加工と、ボルト本体にセルフロックボルトねじ山の２分の１のピッチのスリット部となる小ねじ山を形成し、その後並目の転造ダイスによりセルフロックボルトねじ山を形成する転造加工とが考えられている。
【０００３】
【本発明が解決しようとする課題】
このセルフロックボルトは、ねじ山の頂部から半径方向に形成するスリットはスリットの幅の狭さと深さに対して切削加工することは到底不可能に近く、また転造加工法によって製造することも考えられるが、スリット部を形成した後セルフロックボルトねじ山を形成するので２度転造する必要があり、またスリットが狭く深いため、転造ダイスに形成するスリット形成用凸部の耐久性が悪く、経済的に製造することが不可能に近いという欠点があった。
また、このようにして製造されたセルフロックボルトは、セルフロックボルトを雌ねじと螺合する際、螺合しはじめからトルクがかかり作業性がよくない。
【０００４】
本発明は以上のような従来の欠点に鑑み、製造が容易で、充分な弛緩防止効果が得られ、何回でも反復使用ができるセルフロックボルト製造用転造ダイスおよび作業性が良好でなおかつ弛緩防止効果のあるセルフロックボルトを提供することを目的としている。
【０００５】
本発明の前記ならびにその他の目的と新規な特徴は次の説明を添付図面と照らし合わせて読むと、より完全に明らかになるであろう。
ただし、図面はもっぱら解説のためのものであって、本発明の範囲を限定するものではない。
【０００６】
【課題を解決する為の手段】
上記目的を達成するために、本発明は転造加工法によって、ボルトのねじ部を加工することができる一対の転造用ダイスにおいて、該一対の転造ダイスの一方がセルフロックねじ山を形成する並目の転造ダイス１とし、もう一方がスリット部を形成するセルフロックねじ山の２分の１のピッチの転造ダイス２とすることでセルフロックボルト製造用転造ダイスを構成している。
【０００７】
また、本発明はボルト本体と、このボルト本体に形成されたねじ山と、このねじ山に弛緩防止効果が得られるスリットとでセルフロックボルト３を構成している。
さらに、本発明はセルフロックボルトの１山を弛緩防止効果が得られるスリットを入れ、残りを通常の並目ねじ山とすることで作業性が良好なセルフロックボルト１０も構成している。
【０００８】
【作用】
上記のように構成されたセルフロックボルト製造用転造ダイスは、ボルト本体を転造通過させることにより、ボルト本体をねじ山にスリットが形成されたセルフロックねじ山に塑性変形しながら形成する。
【０００９】
【本発明の実施例】
以下、図面に示す実施例により、本発明を詳細に説明する。
【００１０】
図１は、本発明の第１の実施例において、ボルトのねじ部を加工することができる一対の転造用ダイスで、一方をセルフロックボルトねじ山を形成する並目の転造用ダイス１とし、もう一方をセルフロックボルトねじ山頂部の弛緩防止効果のあるスリットを形成する並目の２分の１ピッチの転造用ダイス２とから構成されている。
【００１１】
前記一対のセルフロックボルト製造用転造ダイスは、平型転造機械を用いて製造されていて、平型転造機械の固定台と可動台とにそれぞれ固定されるものである。
【００１２】
図２は、前記一対のセルフロックボルト製造用転造ダイスを使用し、製造されるセルフロックボルト３で、前記転造用ダイス２により形成された、スリットにより弛緩防止効果を引き出している。
【００１３】
図３は、ねじに打痕やキズ等が付いた正規なねじでないものである。従来ボルトに、メッキや熱処理加工を施す場合、このような打痕やキズ等が付いた正規なねじでないものは使用できない。ねじの打痕やキズ等を取り除くために、リーロールと呼ばれる方法を実施するのが一般的であるが、スリット付きのセルフロックボルトにおいても図４のように打痕やキズ等が付く事が考えられる。すなわち、図５のように、前記転造用ダイス２の細目のあとに並目をおこす事により、図６のように打痕やキズ等を取り除くことができる。
【００１４】
【本発明の異なる実施例】
次に、図７ないし図９のセルフロックボルト転造用ダイス、図８ないし図１０のセルフロックボルトの実施例につき説明する。
【００１５】
図７は本発明の第２の実施例において、ボルトのねじ部を加工することができる一対の転造用ダイスで、一方をセルフロックボルトねじ山を形成する並目の転造用ダイス５とし、もう一方をセルフロックボルトねじ山の１山に弛緩防止作用のあるスリットを形成するための転造用ダイス６とする。
【００１６】
図８は前記一対のセルフロックボルト製造用転造ダイス５と転造用ダイス６を使用し、製造されるセルフロックボルト７で、前記転造用ダイス６によりセルフロックボルトねじ山の１山に弛緩防止効果のあるスリットが形成されている。この弛緩防止効果のあるスリットは、ほぼ雌ねじと螺合し終わる箇所に形成され、雄ねじと雌ねじを螺合する際に入れ始めからトルクがかかることがなく、最後締め付ける際にスリットのスプリングバック効果が発揮されてトルクがかかりゆるみ止めの効果を引き出すようになっている。その際スリットが形成されたセルフロックボルトねじ山は１山だけで残りは通常並目ねじ山なので、強度的には何ら問題はない。
【００１７】
図９は本発明の第３の実施例において、ボルトのねじ部を加工することができる一対の転造用ダイスで、一方をセルフロックボルトねじ山を形成する並目の転造用ダイス８とし、もう一方を前記転造用ダイス９をさらに改良し、セルフロックボルトねじ山を確実に形成できるように安定させることにより、セルフロックボルトねじ山の１山に弛緩防止効果があるスリットの深さを変えることができる転造用ダイス９とする。
【００１６】
図１０は前記一対のセルフロックボルト製造用転造ダイス８と転造用ダイス９を使用し、製造されるセルフロックボルト１０で、前記転造用ダイス９によりセルフロックボルトねじ山の１山に弛緩防止効果のあるスリットが形成されている。この弛緩防止効果のあるスリットは、ほぼ雌ねじと螺合し終わる箇所に形成され、雄ねじと雌ねじを螺合する際に入れはじめからトルクがかかることがなく、最後締め付ける際にスリットのスプリングバック効果が発揮されてトルクがかかりゆるみ止めの効果を引き出すようになっている。さらに、前記転造ダイス９のスリット形成凸部の長さを変えることにより、スリットの深さを深くすることができ、更なるスプリングバック効果を発揮させ１山でも十分な弛緩防止作用がある。その際スリットが形成されたセルフロックボルトねじ山は１山だけで残りは通常並目ねじ山なので、強度的には何ら問題はない。
【００１７】
前記転造用ダイス６と前記転造用ダイス９に関しても、転造ダイスの最後にリーロール用の並目をおこす事により打痕やキズ等を取り除くことができる。なお、前記本発明の各実施例では平型転造ダイスについても説明したが、本発明はこれに限らず、ロータリー転造ダイス、セグメントダイス、丸型形状ダイス、コンポーネントダイス、アタッメントダイスにも同様に使用することができる。
また、前記本発明の各実施例ではスリットの両側のセルフロックねじ山は同一形状に形成されたものについて説明したが、本発明はこれに限らず異なる形状に形成しても良い。
【００１８】
【本発明の効果】
以上の説明から明らかなように、本発明にあっては次に列挙する効果が得られる。
【００１９】
（１）転造加工法によって、ボルトのねじ部を加工することができる一対の転造用ダイスにおいて、一方をセルフロックねじ山を形成する並目の転造ダイス１とし、もう一方がスリット部を形成するセルフロックねじ山の２分の１のピッチの転造ダイス２により、１回の転造加工作業でセルフロックボルトのセルフロックボルトねじ山を形成することができる。
したがって、製造作業が容易で、安価に製造することができる。
（２）前記（１）によって、転造ダイス２により弛緩防止作用のあるスリットを形成しながら、転造ダイス１によりセルフロックねじ山に形成するだけでよいので、精密微細な特殊なピッチ形状でも、締め込みトルク、戻しトルク、軸力でも自由な壁面に形状を投影して加工し、精密微細なボルト形状を作ることができる。
したがって、特別なタップや雌ねじや工具を必要としないので、使いやすく、安価に製造することができる。
【００２０】
（３）請求項２について、転造加工法によって、ボルトのねじ部を加工することができる一対の転造用ダイスにおいて、一方をセルフロックねじ山および通常並目ねじ山を形成する為の並目の転造ダイス５とし、もう一方がセルフロックボルトの１山のねじ山頂部に弛緩防止効果のあるスリット部を形成するために、セルフロックねじ山の２分の１のピッチで１山だけの転造ダイスとするセルフロックボルト製造用転造ダイス６。
【００２１】
（４）請求項３について、転造加工法によって、ボルトのねじ部を加工することができる一対の転造用ダイスにおいて、一方をセルフロックねじ山および通常並目ねじ山を形成するための並目の転造ダイス８とし、もう一方がセルフロックボルトの１山のねじ山頂部に弛緩防止効果のあるスリット部を形成しセルフロックねじ山、残りを通常並目ねじ山を形成する転造ダイスとするセルフロックボルト製造用転造ダイス９。
【００２２】
（５）請求項４について、前記（３）と前記（４）のセルフロックボルト製造用転造ダイスにより製造される１山が弛緩防止作用のあるスリットを持つセルフロックボルトねじ山で、残りの山が通常並目ねじ山とからなるセルフロックボルト７またはセルフロックボルト１０を製造できる。この弛緩防止作用のあるスリットが形成されたねじ山は、雌ねじを締め付けた際にちょうど螺合し終わる場所にあり、雄ねじと雌ねじを螺合しはじめはトルクがかからずに螺合され、最後締め付けるときにトルクがかかり弛緩防止効果がある。また、１山だけにスリットが形成されているので、強度的にも何ら問題はなく、スリットの深さを深くすることによりさらにスプリングバックを効かせてゆるみ止めの効果を引き出すことができる。
【図面の簡単な説明】
【図１】本発明の第１の実施例の一対のセルフロックボルト製造用転造ダイスである。
【図２】セルフロックボルト全体図である。
【図３】通常並目ボルトねじ部打痕、キズ等である。
【図４】セルフロックボルトねじ部打痕、キズ等である。
【図５】打痕、キズ等の補修用ダイスである。
【図６】正常セルフロックボルトねじ部である。
【図７】スリットを１山形成する一対のセルフロックボルト製造用転造ダイスである。
【図８】図７のセルフロックボルト製造用転造ダイスを用いて製造されたセルフロックボルトである。
【図９】スリットを１山形成し深さを変えることができる一対のセルフロックボルト製造用転造ダイスである。
【図１０】図９のセルフロックボルト製造用転造ダイスを用いて製造されたセルフロックボルトである。
【符号の説明】
１　セルフロックボルト製造用並目ダイス
２　セルフロックボルト製造用細目ダイス
３　セルフロックボルト
４　リーロール用並目ダイス
５　１山セルフロックボルト製造用並目ダイス１
６　１山セルフロックボルト製造用細目ダイス１
７　１山セルフロックボルト１
８　１山セルフロックボルト製造用並目ダイス２
９　１山セルフロックボルト製造用細目ダイス２
１０　１山セルフロックボルト２
【図１】
2004090085.tif 000003
【図２】
2004090085.tif 000004
【図３】
2004090085.tif 000005
【図４】
2004090085.tif 000006
【図５】
2004090085.tif 000007
【図６】
2004090085.tif 000008
【図７】
2004090085.tif 000009
【図８】
2004090085.tif 000010
【図９】
2004090085.tif 000011
【図１０】
2004090085.tif 000012